(57)【要約】【課題】  通信料金をかけずに効率よく用件メッセージを転送する。【解決手段】  着信があり所定回数の着信音の鳴動があると自動的に回線を接続すると共に相手先からの用件メッセージを録音する（Ｓ１〜Ｓ４ステップ）、用件メッセージの録音がある度にメッセージの数をカウントしていき（Ｓ５ステップ）、カウント数が所定数以上となるか（Ｓ６ステップ）、所定の時刻になると（Ｓ７ステップ）、録音した用件メッセージを所定の相手先へ転送する（Ｓ８ステップ）。【選択図】      図２
2008104041.tif 000002
【特許請求の範囲】
【請求項１】
着信があり所定回数の着信音の鳴動後に自動的に回線を接続し、発呼側からの用件メッセージを録音する電話装置であり、
用件メッセージの録音がある度に、用件メッセージの数をカウントしていき、当該カウント値が所定値以上となると、録音した用件メッセージを予め定められた相手先に自動的に転送することを特徴とする電話装置。
【請求項２】
着信があり所定回数の着信音の鳴動後に自動的に回線を接続し、発呼側からの用件メッセージを録音する電話装置であり、
予め設定した時刻になると、録音した用件メッセージを所定の相手先に転送することを特徴とする電話装置。
【請求項３】
着信があり所定回数の着信音の鳴動後に自動的に回線を接続し、発呼側からの用件メッセージを録音する電話装置であり、
用件メッセージの数をカウントする用件メッセージ数カウント手段と、用件メッセージを転送する相手先を設定する転送先設定手段と、録音された用件メッセージを転送する用件メッセージ転送手段と、
前記用件メッセージ数カウント手段が予め設定した数の用件メッセージの数をカウントすると、前記転送先設定手段に設定された相手先に自動的に録音した用件メッセージを転送するように前記用件メッセージ転送手段を制御する制御手段と、を有することを特徴とする電話装置。
【請求項４】
着信があり所定回数の着信音の鳴動後に自動的に回線を接続し、発呼側からの用件メッセージを録音する電話装置であり、
用件メッセージを転送する相手先を設定する転送先設定手段と、録音された用件メッセージを転送する用件メッセージ転送手段と、用件メッセージを転送する時刻を設定する転送時刻設定手段と、
当該転送時刻設定手段に設定された時刻になると、前記転送先設定手段に設定された相手先に用件メッセージを転送するように、前記用件メッセージ転送手段を制御する制御手段と、を有することを特徴とする電話装置。
【発明の詳細な説明】
【技術分野】
【０００１】
本発明は、電話装置に関する。
【背景技術】
【０００２】
現在市販されている電話装置の中には、転送機能が搭載されているものもある。
【０００３】
この転送機能とは、用件メッセージが録音されると録音された用件メッセージが自動的に所定の相手先に転送されるというものである。
【０００４】
又、この転送機能を有する電話装置に関して数多くの提案がなされており、例えば特許文献１には、予めメモリに登録された相手先からの着信があれば、用件メッセージを転送するという技術が記載されている。
【特許文献１】特開平８−２２３３０１号公報
【発明の開示】
【発明が解決しようとする課題】
【０００５】
通常の電話装置では、用件メッセージが録音される度に転送がなされる為、通話料金がかかるという問題があった。又、上記特許文献１に記載の技術では、メモリに登録されている相手先から何度も用件メッセージの録音があればその都度転送がなされる為、やはり通話料金がかかるという問題があった。
【課題を解決するための手段】
【０００６】
本願発明は、このような課題を解決する為のものであり、請求項１に記載の電話装置は着信があり所定回数の着信音の鳴動後に自動的に回線を接続し、発呼側からの用件メッセージを録音する電話装置であり、用件メッセージの録音がある度に、用件メッセージの数をカウントしていき、当該カウント値が所定値以上となると、録音した用件メッセージを予め定められた相手先に自動的に転送することを特徴とする。
請求項２に記載の電話装置は、着信があり所定回数の着信音の鳴動後に自動的に回線を接続し、発呼側からの用件メッセージを録音する電話装置であり、予め設定した時刻になると、録音した用件メッセージを所定の相手先に転送することを特徴とする。
請求項３に記載の電話装置は、着信があり所定回数の着信音の鳴動後に自動的に回線を接続し、発呼側からの用件メッセージを録音する電話装置であり、用件メッセージの数をカウントする用件メッセージ数カウント手段と、用件メッセージを転送する相手先を設定する転送先設定手段と、録音された用件メッセージを転送する用件メッセージ転送手段と、前記用件メッセージ数カウント手段が予め設定した数の用件メッセージの数をカウントすると、前記転送先設定手段に設定された相手先に自動的に録音した用件メッセージを転送するように前記用件メッセージ転送手段を制御する制御手段と、を有することを特徴とする。
請求項４に記載の電話装置は、着信があり所定回数の着信音の鳴動後に自動的に回線を接続し、発呼側からの用件メッセージを録音する電話装置であり、用件メッセージを転送する相手先を設定する転送先設定手段と、録音された用件メッセージを転送する用件メッセージ転送手段と、用件メッセージを転送する時刻を設定する転送時刻設定手段と、当該転送時刻設定手段に設定された時刻になると、前記転送先設定手段に設定された相手先に用件メッセージを転送するように、前記用件メッセージ転送手段を制御する制御手段と、を有することを特徴とする。
【発明の効果】
【０００７】
請求項１又は３に記載の電話装置によれば、用件メッセージの数が所定数となれば自動的に用件メッセージを転送するため、用件メッセージがはいってくる度に用件メッセージを転送する構成と比べて通信料金を低減することができる。
請求項２又は４に記載の電話装置によれば、所定時刻になれば用件メッセージを転送するため、用件メッセージがはいってくる度に用件メッセージを転送する構成と比べて通信料金を低減することができる。
【発明を実施するための最良の形態】
【０００８】
次に、本発明の一実施形態に係る通信装置（携帯電話装置）について、図面を参照して説明する。
【０００９】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１５】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１６】
また、制御回路３６には、入力部４４が接続されている。この入力部４４は、図示していないが、テンキー、通話キー、切キー、カーソル移動等に用いられる十字キー、決定キー、クリアキー等を有している。
【００１７】
ＲＡＭ４０には、用件メッセージが録音される。
【００１８】
次に、本実施例装置の動作について、図２を用いて説明する。図２は本実施例装置の動作を示すフロー図である。
【００１９】
尚、図２の動作に入る前に、ＲＡＭ４０には、用件メッセージを転送する時刻と、用件メッセージを転送する相手先の情報が格納され、制御回路３６の図示せぬバッファの用件メッセージの数をカウントするカウンタを０にする。
【００２０】
図２のＳ１ステップにおいて、制御回路３６は、ベースバンド部１４から着信があることを示す信号を検出すると、Ｓ２ステップへ処理を進める。
【００２１】
Ｓ２ステップでは、制御回路３６は、スピーカ２６から着信音を鳴動する。
【００２２】
Ｓ３ステップでは、制御回路３６は、所定回数の着信音の鳴動後に自動的に回線を接続するように、通信部１２とベースバンド部１４を制御する。
【００２３】
Ｓ４ステップでは、制御回路３６は、発呼側からの用件メッセージをＲＡＭ４０に格納し、Ｓ５ステップへ処理を進める。
【００２４】
Ｓ５ステップでは、制御回路３６は、制御回路３６内の図示せぬバッファに用件メッセージの数を１カウントし、Ｓ６ステップへ処理を進める。
【００２５】
Ｓ６ステップでは、制御回路３６は、ＲＡＭ４０に格納されている用件メッセージの数が所定数となったと判定すると、Ｓ８ステップへ処理を進め、そうでなければ、Ｓ７ステップへ処理を進める。
【００２６】
Ｓ７ステップでは、制御回路３６は、ＲＡＭ４０に予め設定されている用件メッセージを転送する時刻になったと判定すると、Ｓ９ステップへ処理を進め、そうでなければ、Ｓ１ステップへ処理を戻す。
【００２７】
Ｓ８ステップでは、制御回路３６は、ＲＡＭ４０に格納されている複数件分の用件メッセージを、ＲＡＭ４０に予め設定されている相手先へ転送するように、通信部１２とベースバンド部１４を制御する。例えば、ＲＡＭ４０に格納されている相手先へ発呼を行い、相手先との通話路が形成されると、相手先にメッセージ（例えば、用件が３件あります）を送信し、続いてＲＡＭ４０に格納されている用件メッセージを相手先へ送信する。
【００２８】
Ｓ９ステップでは、制御回路３６は、用件メッセージのカウントを０にし、Ｓ１ステップへ処理を戻す。
【図面の簡単な説明】
【００２９】
【図１】本発明を適用してなる実施例装置のブロック図である。
【図２】本実施例装置の動作を示すフロー図である。
【符号の説明】
【００３０】
１０      携帯電話装置
３６      制御回路
４０      ＲＡＭ
４４      入力部
【図１】
2008104041.tif 000003
【図２】
2008104041.tif 000004